(57)【要約】【課題】路側無線装置から送信される二者択一の情報について選択を促す音声情報を車載器に搭載されているボタン名称と同一の名称に置き換える。【解決手段】路側無線装置から送信される指示応答コマンドを狭域無線通信により受信し、当該受信した指示応答コマンドに対して応答する車載器１０において、前記指示応答コマンドは、二者択一の情報を含み、かつ当該二者択一のうち何れか一方を車載器１０に応答させる情報であって、前記二者択一の情報と一緒に配信される選択を促す音声情報に含まれるインターフェイス情報(ボタン名称)と車載器１０のインターフェイスに予め表示されているボタン名称とを照合して一致しない場合、前記二者択一の情報と一緒に配信される選択を促す音声情報に含まれるインターフェイス情報(ボタン名称)を車載器１０のインターフェイスに予め表示されているボタン名称に置き換える制御部を備えた車載器１０とする。【選択図】図１
2010134886.tif 000002
【特許請求の範囲】
【請求項１】
路側無線装置から送信される指示応答コマンド及び音声情報を無線通信により受信し、当該受信した指示応答コマンド及び音声情報に対して応答する車載器において、
前記指示応答コマンドは、二者択一の情報を含み、かつ当該二者択一のうち何れか一方を前記車載器に応答させるコマンドであり、
前記音声情報は、前記指示応答コマンドに含まれる二者択一の情報について選択を促す音声情報であり、
前記二者択一の情報について選択を促す音声情報と前記車載器のインターフェイスに予め表示されている文字とを照合して一致しない場合、前記二者択一の情報について選択を促す音声情報を前記車載器のインターフェイスに予め表示されている文字に置き換える制御部を備えた車載器。
【請求項２】
前記二者択一の情報について選択を促す音声情報を音声により出力する音声出力部を備え、
前記制御部は、前記二者択一の情報について選択を促す音声情報を前記車載器のインターフェイスに予め表示されている文字に置き換えて、当該置き換えた後の二者択一の情報について選択を促す音声情報を前記音声出力部により出力する請求項１に記載の車載器。
【請求項３】
前記指示応答コマンドに応じた画像を生成し画像により出力する表示部を備え、
前記制御部は、前記指示応答コマンドに含まれる二者択一の情報を前記車載器のインターフェイスに予め表示されている文字に置き換えて、当該置き換えた後の二者択一の情報を前記表示部により出力する請求項１又は２に記載の車載器。
【請求項４】
前記指示応答コマンドに含まれる二者択一の情報は、「はい」及び「いいえ」、「ＹＥＳ」及び「ＮＯ」又は「〇」及び「×」のうち、何れかである請求項１〜３の何れか一項に記載の車載器。
【請求項５】
路側無線装置から送信される指示応答コマンド及びテキスト情報を無線通信により受信し、当該受信した指示応答コマンド及びテキスト情報に対して応答する車載器において、
前記指示応答コマンドは、二者択一の情報を含み、かつ当該二者択一のうち何れか一方を前記車載器に応答させるコマンドであり、
前記テキスト情報は、前記指示応答コマンドに含まれる二者択一の情報について選択を促すテキスト情報であり、
前記二者択一の情報について選択を促すテキスト情報と前記車載器のインターフェイスに予め表示されている文字とを照合して一致しない場合、前記二者択一の情報について選択を促すテキスト情報を前記車載器のインターフェイスに予め表示されている文字に置き換える制御部を備えた車載器。
【請求項６】
前記テキスト情報及び前記指示応答コマンドに応じた画像を表示する表示部を備え、
前記制御部は、前記車載器のインターフェイスに予め表示されている文字に置き換えた後のテキスト情報を前記表示部により表示した後に、前記指示応答コマンドに応じた画像を前記表示部により表示する請求項５に記載の車載器。
【請求項７】
前記指示応答コマンドに含まれる二者択一の情報であって、前記テキスト情報に含まれる二者択一の情報である文字は、「はい」及び「いいえ」、「ＹＥＳ」及び「ＮＯ」又は「〇」及び「×」のうち、何れか一の二者択一の文字である請求項５又は６に記載の車載器。   
【発明の詳細な説明】
【技術分野】
【０００１】
本発明は、車載器に関する。
【背景技術】
【０００２】
近年、ＤＳＲＣ（Dedicated Short Range Communication）機能を有する車載器が普及しており、ＤＳＲＣによる各種サービスの提供について検討されている。車載器は、道路上や駐車場等に予め設置されている路側無線装置と狭域無線通信を行い、地域に密着した情報やサービスの提供を受けることが可能となる。
【０００３】
ＤＳＲＣによる各種サービスの提供を受ける場合、車載器に挿入されるＩＣクレジットカードで決済することが可能である。このとき、路側無線装置は車載器に対し、ＩＣクレジットカードにより決済するか否かの意思確認のコマンド（以下、「指示応答コマンド」という）を送信してユーザの意思を確認することが望ましい。
【０００４】
特許文献１によれば、ＤＳＲＣによる各種サービスの決済において、ユーザに対してＩＣクレジットカードの利用意思を確認し得る決済システム及び車載器が開示されている。
【特許文献１】特開２００５−１４１６３３号公報
【発明の開示】
【発明が解決しようとする課題】
【０００５】
しかし、特許文献１の決済システム及び車載器では、ユーザが利用意思を伝える際に混乱する場合が生じる。例えば、路側無線装置から車載器に対し、「はい」又は「いいえ」の意思を二者択一させて応答させる指示応答コマンドが送信された場合、車載器は車載器に搭載されている意思確認ボタンと同一の「はい」及び「いいえ」、「ＹＥＳ」及び「ＮＯ」又は「〇」及び「×」のうち、何れかの画像を出力する。
路側無線装置は、指示応答コマンドの送信だけではユーザに意思確認を促すことが出来ないため、合わせて二者択一の情報について選択を促す音声情報(TTS)も配信する。
路側無線装置は、送信する車載器の意思確認ボタンの表記を知りえないため、一般的な「はい」又は「いいえ」を想定した音声情報を配信することになる。
車載器はどの様な表記の意思確認ボタンが搭載されているかが分かるためその表記に対応する画像を生成することが出来るが、二者択一の情報について選択を促す音声情報(TTS)の表現は受信するまで知り得ない。
車載器には、「YES」又は「NO」と表現され、音声では「はい」又は「いいえ」の選択を促される可能性がある。
【０００６】
ここで、図７に、車載器の外観の例を示す。
図７に示すように、車載器のインターフェイスに表示されている文字は、機種やメーカによってそれぞれ異なる。車載器Ａのインターフェイスには、「Ｙｅｓ」及び「Ｎｏ」、車載器Ｂのインターフェイスは「はい」及び「いいえ」、車載器Ｃのインターフェイスには「〇」及び「×」がそれぞれ表示されている。このように、車載器の種類によって、インターフェイスに予め表示されている文字はそれぞれ異なる。
【０００７】
本発明の課題は、指示応答コマンドと一緒に配信される二者択一の情報について選択を促す音声情報(TTS)の一部を車載器に搭載されている意思確認ボタンと同一の音声情報に置き換えて、表示と音声のユーザーインターフェイスを統一する車載器を提供することである。
また、本発明の課題は、指示応答コマンドと一緒に配信される二者択一の情報について選択を促すテキスト情報を予め定められた意思確認ボタンと同一の表記に置き換えて、ボタンと画面との表記を統一する車載器を提供することにある。
【課題を解決するための手段】
【０００８】
本発明によれば、
路側無線装置から送信される指示応答コマンド及び音声情報を無線通信により受信し、当該受信した指示応答コマンドに対して応答する車載器において、
前記指示応答コマンドは、二者択一の情報を含み、かつ当該二者択一のうち何れか一方を前記車載器に応答させる情報であり、
前記音声情報は、前記指示応答コマンドに含まれる二者択一の情報について選択を促す音声情報であり、
前記二者択一の情報について選択を促す音声情報と前記車載器のインターフェイスに予め表示されている文字とを照合して一致しない場合、前記二者択一の情報について選択を促す音声情報を前記車載器のインターフェイスに予め表示されている文字に置き換える制御部、
を備えた車載器が提供される。
【０００９】
また、本発明によれば、
路側無線装置から送信される指示応答コマンド及びテキスト情報を無線通信により受信し、当該受信した指示応答コマンド及びテキスト情報に対して応答する車載器において、
前記指示応答コマンドは、二者択一の情報を含み、かつ当該二者択一のうち何れか一方を前記車載器に応答させるコマンドであり、
前記テキスト情報は、前記指示応答コマンドに含まれる二者択一の情報について選択を促すテキスト情報であり、
前記二者択一の情報について選択を促すテキスト情報と前記車載器のインターフェイスに予め表示されている文字とを照合して一致しない場合、前記二者択一の情報について選択を促すテキスト情報を前記車載器のインターフェイスに予め表示されている文字に置き換える制御部、
を備えた車載器が提供される。
【発明の効果】
【００１０】
本発明によれば、路側無線装置から送信される指示応答コマンドを受信した際、指示応答コマンドと合わせて配信される選択を促す音声情報(TTS)に含まれる二者択一の音声情報を車載器のインターフェイスに予め表示されている文字と同じ音声情報へと置き換えることができる。指示応答コマンド及び一緒に送信される選択を促す音声情報(TTS)に対して、ユーザは混乱することなくスムーズに応答することができる。
また、本発明によれば、指示応答コマンドと合わせて配信されるテキスト情報を車載器のインターフェイスに予め表示されている文字に置き換えることができる。路側無線装置から送信される指示応答コマンドに対し、ユーザは混乱することなくスムーズに応答することができる。
【発明を実施するための最良の形態】
【００１１】
＜第１実施形態＞
第１実施形態では、指示応答コマンドと合わせて送信される音声情報を車載器のインターフェイスに予め表示されている文字と同じ音声情報へと置き換える場合について説明する。
【００１２】
図１に、本実施形態における車載器１０の構成を示す。
車載器１０は、カーナビ部１、ＤＳＲＣ部２、制御部３、インターフェイス４等を備えて構成される。
【００１３】
カーナビ部１は、カーナビ制御部１ａ、現在地検出部１ｂ、地図記憶部１ｃ、表示部１ｄ、ナビ記憶部１ｅ、音声出力部１ｆ等を備えて構成される。
カーナビ部１は、車載器１０を搭載した車両の現在地から目的地までの経路を算出し、算出した経路に従って車両を目的地へ誘導する。
【００１４】
カーナビ制御部１ａは、カーナビ部１が備える各部を集中制御し、目的地までの経路算出や目的地までの地図画面の生成等を行う。
【００１５】
現在地検出部１ｂは、ＧＰＳアンテナ及び角度センサ、方位センサ、距離センサ等の各種センサを備える。現在地検出部１ｂは、ＧＰＳアンテナ及び各種センサによる検出結果に基づいて車両の現在地を検出する。
【００１６】
地図記憶部１ｃは、メモリやＤＶＤ等の記録媒体から構成され、案内表示に必要な地図ＤＢ、駐車場ＤＢ等を記憶する。
【００１７】
表示部１ｄは、モニタ及び／又はタッチパネルにより構成され、カーナビ制御部１ａからの表示信号に従って各種情報を表示する処理を行う。例えば、表示部１ｄは、設定画面や地図画面等を表示する。
【００１８】
ナビ記憶部１ｅは、プログラムやデータ等が予め記憶されている記録媒体を備えて構成され、カーナビ制御部１ａにより実行される制御プログラム及びプログラムの実行に必要なパラメータ等を記憶する。
【００１９】
音声出力部１ｆは、音声処理部、Ｄ／Ａ変換器、増幅器、スピーカ等を備えて構成される。音声出力部１ｆは、制御部３又はカーナビ制御部１ａから指示された音声合成記号から音声信号を生成し、スピーカにより音声出力する。
【００２０】
ＤＳＲＣ部２は、ＤＳＲＣ制御部２ａ、ＤＳＲＣ通信部２ｂ、ＤＳＲＣ記憶部２ｃ、ＥＴＣ処理部２ｄ、カード挿入部２ｅを備えて構成されており、ＤＳＲＣによる無線通信処理等を行う。
【００２１】
ＤＳＲＣ制御部２ａは、ＣＰＵ、ＲＡＭ等から構成され、ＤＳＲＣ記憶部２ｃに記憶されている制御プログラムとの協働によりＤＳＲＣ部２の各部の動作を制御する。
また、ＤＳＲＣ制御部２ａは、ＩＣクレジットカードによる決済を行う際、ＤＳＲＣ通信部２ｂを制御して路側無線装置と決済情報の送受信を行う。
【００２２】
ＤＳＲＣ通信部２ｂは、車両のダッシュボード上でフロントガラス近傍に固設されたアンテナを備える。ＤＳＲＣ通信部２ｂは、アンテナを介して路側無線装置やＥＴＣ基地局等とＤＳＲＣによる無線通信を行う。
【００２３】
ＤＳＲＣ記憶部２ｃは、ＤＳＲＣ制御部２ａにより実行される制御プログラム等を記憶する。
【００２４】
ＥＴＣ処理部２ｄは、カード挿入部２ｅに挿入されるＩＣチップが埋め込まれたＩＣクレジットカードやＥＴＣカード等に対して決済情報等の読み書きを行う。
【００２５】
カード挿入部２ｅは、ＥＴＣカード等のスロットを備え、このスロットに挿入されたＥＴＣカード等のＩＣとＥＴＣ処理部２ｄとの間で情報のやりとりを仲介する。
【００２６】
制御部３は、ＣＰＵ（Central Processing Unit）、ＲＡＭ（Random Access Memory）等を備えて構成される。制御部３は、ナビ記憶部１ｅに記憶された制御プログラムとの協働により各種演算を行う他、各部の集中制御を行う。
【００２７】
インターフェイス４は、ボタン４ａや各種操作キー等を備えて構成される。
ボタン４ａは、例えば「〇」の文字が予め表示されたボタン及び「×」の文字が予め表示されたボタンにより構成される。
ボタン４ａは、路側無線装置からの指示応答コマンドに対し、二者択一して応答するためのボタンである。
【００２８】
図２を参照して、指示応答コマンドを受信した際の処理について説明する。
制御部３は、路側無線装置からの指示応答コマンドを受信したか否か判断する（ステップＳ１）。
指示応答コマンドとは、二者択一の情報のうち何れか一方を車載器１０に選択させて応答させるためのものである。
【００２９】
指示応答コマンドを受信しない場合（ステップＳ１；Ｎ）、制御部３は、待機する。
指示応答コマンドを受信した場合（ステップＳ１；Ｙ）、制御部３は、ＴＴＳファイルを受信したか否か判断する（ステップＳ２）。
ＴＴＳファイルとは、二者択一の情報について選択を促す音声情報(TTS)を含み、PUSHコマンドにより配信させる音声合成記号を示す。本実施形態において、音声合成記号は、ＪＥＩＴＡ規格（JEITA TT-6004におけるＩＴＳ車載器用音声合成記号）に準拠する。
【００３０】
ＴＴＳファイルを受信しない場合（ステップＳ２；Ｎ）、制御部３は、指示応答コマンドの受信処理を終了する。
ＴＴＳファイルを受信した場合（ステップＳ２；Ｙ）、制御部３は、ＴＴＳファイルに含まれる二者択一の情報について選択を促す音声合成記号を抽出する（ステップＳ３）。
二者択一について選択を促す音声合成記号とは、例えば「はい」及び「いいえ」、「Ｙｅｓ」及び「ＮＯ」、「〇」及び「×」等の二者択一の文字を示す音声合成記号である。以下、「二者択一の文字」と表現して説明する。
【００３１】
制御部３は、ステップＳ２で抽出した二者択一の文字とインターフェイス４のボタン４ａに予め表示されている文字とを照合する（ステップＳ４）。
【００３２】
制御部３は、照合した結果、一致するか否か判断する（ステップＳ５）。
一致する場合（ステップＳ５；Ｙ）、制御部３は、ステップＳ２で受信したＴＴＳファイルに含まれる音声合成記号を音声出力部１ｆにより音声出力して（ステップＳ６）、指示応答コマンドの受信処理を終了する。
なお、ステップＳ６において、制御部３は音声合成記号を表示部１ｄにより画像出力する、としてもよい。
【００３３】
一致しない場合（ステップＳ５；Ｎ）、制御部３は、ステップＳ３で抽出した二者択一の文字をボタン４ａに予め表示されている文字に合わせて音声合成記号を置き換える（ステップＳ７）。
【００３４】
置き換えに際して、まず、制御部３は、抽出した二者択一の文字の音声合成記号をＪＥＩＴＡ規格 TT-6004によって規定されていない記号で囲む。そして、制御部３は、囲んだ文字をボタン４ａに予め表示されている文字に置き換える。
例えば、抽出した二者択一の文字が「はい」及び「いいえ」である場合、電子情報技術産業協会規格（JEITA TT-6004）によって規定されていない「[]」や「＆」等の記号で囲む。そして、囲んだ文字「[はい]」及び「[いいえ]」をボタン４ａに予め表示されている文字「マル」及び「バツ」に置き換える。
【００３５】
置き換え前の音声合成記号が「料金は４００円です。ＩＣクレジットカードで決済する場合は[はい]のボタン、現金で精算する場合は[いいえ]のボタンを押して下さい。」である場合、置き換え後の音声合成記号は「料金は４００円です。ＩＣクレジットカードで決済する場合は[マル]のボタン、現金で精算する場合は[バツ]のボタンを押して下さい。」となる。
【００３６】
制御部３は、置き換えた文字を含む音声合成記号を音声出力部１ｆにより音声出力して（ステップＳ８）、指示応答コマンドの受信処理を終了する。
なお、ステップＳ７において、制御部３は置き換えた文字を含む音声合成記号を表示部１ｄにより文字として画像出力する、としてもよい。
【００３７】
指示応答コマンドの受信処理終了の後、制御部３はインターフェイス４により選択された二者択一のうちの何れか一方の応答を路側無線装置に送信することで、ユーザの意思を路側無線装置に伝える。
【００３８】
以上のように、本発明によれば、指示応答コマンドに含まれる二者択一の文字を車載器１０のインターフェイスに予め表示されている文字に置き換えることができる。
【００３９】
また、置き換えた文字によって、指示応答コマンドを音声出力することができる。指示応答コマンドにより指示される二者択一に対し、ユーザは混乱することなく選択して応答することができる。
【００４０】
また、置き換えた文字によって、指示応答コマンドを表示部１ｄに表示するとしてもよい。この場合も音声出力する場合と同様、指示応答コマンドにより指示される二者択一に対し、ユーザは混乱することなく選択して応答することができる。
【００４１】
また、二者択一の文字は、例えば「はい」及び「いいえ」、「Ｙｅｓ」及び「Ｎｏ」、「〇」及び「×」である。路側無線装置からの指示応答コマンドが上記何れの二者択一の文字であっても、車載器１０はインターフェイス４に予め表示されている文字に置き換えることができる。
【００４２】
＜第２実施形態＞
第２実施形態では、指示応答コマンドと合わせて送信されるテキスト情報を車載器のインターフェイスに予め表示されている文字と同じテキスト情報へと置き換える場合について説明する。
【００４３】
図３を参照して、車載器１０の応答処理について説明する。
制御部３は、車両（車載器１０）がＤＳＲＣ通信の可能な領域内に進入し、路側無線装置とのＤＳＲＣ通信を開始するか否か判断する（ステップＳ１１）。
【００４４】
ＤＳＲＣ通信を開始しない場合（ステップＳ１１；Ｎ）、制御部３は、ＤＳＲＣ通信を開始するまで待機する。
ＤＳＲＣ通信を開始する場合（ステップＳ１１；Ｙ）、制御部３は、クライアント情報を路側無線装置に送信する（ステップＳ１２）。クライアント情報とは、車載器１０のプロファイルの情報であって、音声情報又はテキスト情報の何れか又は何れも再生（発話及び表示）可能である旨を通知する情報である。また、クライアント情報には、再生可能なデータ形式等の情報も含まれる。
【００４５】
制御部３は、発話用の音声情報（ＴＴＳ）を受信したか否か判断する（ステップＳ１３）。
音声情報を受信していない場合（ステップＳ１３；Ｎ）、制御部３は、ステップＳ１５に移行する。
音声情報を受信した場合（ステップＳ１３；Ｙ）、制御部３は、受信した音声情報に基づいて音声出力部１ｆにより発話する（ステップＳ１４）。
【００４６】
制御部３は、表示用のテキスト情報を受信したか否か判断する（ステップＳ１５）。
テキスト情報を受信していない場合（ステップＳ１５；Ｎ）、つまり、音声情報もテキスト情報も受信していない場合には、制御部３は応答処理を終了する。
テキスト情報を受信した場合（ステップＳ１５；Ｙ）、制御部３は、テキスト情報を受信してから予め定められた特定時間が経過したか否か判断する（ステップＳ１６）。
【００４７】
ここで、受信したテキスト情報に確認要求コマンドが伴う場合には、制御部３は確認要求コマンドに対する応答を路側無線装置に対して先に行っておくこととしてもよい。確認要求コマンドとは、テキスト情報を表示画面上に表示した際に、表示した旨を応答させるためのコマンドである。確認要求コマンドは、路側無線装置が表示順序を指定して複数のテキスト情報を送信する場合等に用いられる。
本実施形態では、路側無線装置が複数のテキスト情報を送信して表示順序を指定する場合ではないため、制御部３は、受信したテキスト情報を未だ表示していない場合であっても、確認要求コマンドに対して表示した旨の応答を予め行う。これにより、制御部３は、確認要求コマンドを受信した路側無線装置から次の処理における情報（例えば、指示応答コマンド）を受信することができる。
【００４８】
テキスト情報を受信してから特定時間が経過していない場合（ステップＳ１６；Ｎ）、制御部３は、特定時間が経過するまで待機する。
テキスト情報を受信してから特定時間が経過した場合（ステップＳ１６；Ｙ）、制御部３は、指示応答コマンドを受信したか否か判断する（ステップＳ１７）。
【００４９】
指示応答コマンドを受信していない場合（ステップＳ１７；Ｎ）、制御部３は、ステップＳ１５で受信したテキスト情報を表示画面上に表示して（ステップＳ１８）、応答処理を終了する。
指示応答コマンドを受信した場合（ステップＳ１７；Ｙ）、制御部３は、受信したテキスト情報に含まれる文字をインターフェイス４のボタン４ａに予め表示されている文字に置き換える必要があるか否か判断する（ステップＳ１９）。
具体的には、制御部３は、受信したテキスト情報から二者択一の文字を抽出し、抽出した二者択一の文字とボタン４ａに予め表示されている文字とを照合して一致するか否か判断する。
【００５０】
置き換える必要がない場合（ステップＳ１９）、制御部３は、応答処理を終了する。
置き換える必要がない場合とは、例えば「ＩＣクレジット決済の場合は『〇』、現金での決済の場合は『×』を押して下さい」とのテキスト情報を受信した場合であって、ボタン４ａに予め『〇』／『×』が表示されている場合である。
【００５１】
置き換える必要がある場合（ステップＳ１９）、制御部３は、受信したテキスト情報に含まれる二者択一の文字をボタン４ａに予め表示されている文字に置き換える（ステップＳ２０）。
置き換える必要がある場合とは、例えば「ＩＣクレジット決済の場合は『はい』、現金決済の場合は『いいえ』を押して下さい」とのテキスト情報を受信した場合であって、ボタン４ａに予め表示されている二者択一の文字が『〇』／『×』の場合である。
【００５２】
制御部３は、置き換えた後のテキスト情報を表示画面上に表示し（ステップＳ２１）、その後、指示応答コマンドに応じた画像、つまり、指示応答コマンドよる二者択一の情報である『はい』／『いいえ』等の画像を表示画面上に表示する（ステップＳ２２）。
なお、このとき表示画面上に表示する指示応答コマンドに応じた画像は、テキスト情報と同様、ボタン４ａに予め表示されている文字と同一の文字に置き換えられたものである。
【００５３】
制御部３は、指示応答コマンドに対してボタン４ａにより応答して（ステップＳ２３）、応答処理を終了する。
【００５４】
以上のように、本発明によれば、路側無線装置から送信されたテキスト情報に含まれる二者択一の文字を車載器１０のインターフェイス４に予め表示されている文字に置き換えることができる。
【００５５】
また、置き換えた文字によって、テキスト情報及び指示応答コマンドに応じた画像を表示部１ｄに表示することができる。
指示応答コマンドにより指示される二者択一に対し、ユーザは混乱することなく選択して応答することができる。
【００５６】
また、二者択一の文字は、「はい」／「いいえ」、「Ｙｅｓ」／「ＮＯ」、「〇」／「×」のうち、何れか一の二者択一の文字である。路側無線装置から送信されるテキスト情報に含まれる二者択一の文字が上記何れの二者択一の文字であっても、車載器１０はインターフェイス４に予め表示されている文字に置き換えることができる。
【００５７】
＜第３実施形態＞
第三実施形態では、路側無線装置側の処理について、主として指示応答コマンド、音声情報及びテキスト情報を車載器に送信する際の送信順序について説明する。
【００５８】
図４に、路側無線装置２０の内部構成を示す。
路側無線装置２０は、制御部２１、入力部２２、表示部２３、記憶部２４、通信部２５等を備えて構成され、各部はバス２６で接続されている。
【００５９】
制御部２１は、図示しないＣＰＵ、ＲＡＭ等から構成され、記憶部２４に記憶された制御プログラムとの協働により各種演算を行う他、各部の集中制御を行う。
【００６０】
入力部２２は、キーボード等を備えて操作入力を受け付け、受け付けた操作入力に応じた操作信号を制御部２１に出力する。
【００６１】
表示部２３はディスプレイを備え、制御部２１の表示制御に従ってディスプレイ上に各種画面を表示する。
【００６２】
記憶部２４は、制御部２１により実行されるプログラムの他、プログラムの実行に必要な各種データを記憶する。
また、記憶部３４は、送信すべき指示応答コマンド、音声情報及びテキスト情報を記憶している。
【００６３】
図５を参照して、路側無線装置２０の送信処理について説明する。
制御部２１は、ＤＳＲＣ通信が可能な領域内に進入してきた車載器に対し、ＤＳＲＣ通信を開始することができるか否か判断する（ステップＳ３１）。
【００６４】
ＤＳＲＣ通信を開始できない場合（ステップＳ３１；Ｎ）、制御部２１は、ＥＴＣ機能のみの車載器、又は車載器がないものと判断して（ステップＳ３２）、送信処理を終了する。
【００６５】
ＤＳＲＣ通信を開始できる場合（ステップ３１；Ｙ）、制御部２１は、車載器からクライアント情報を受信する（ステップＳ３３）。
【００６６】
制御部２１は、クライアント情報に基づいて、テキスト情報の表示が可能な車載器であるか否か判断する（ステップＳ３４）。
テキスト情報の表示が可能な車載器でない場合（ステップＳ３４；Ｎ）、制御部２１は、音声情報の発話が可能な車載器であるか否か判断する（ステップＳ３５）。
【００６７】
音声情報の発話が可能な車載器でない場合（ステップＳ３５；Ｎ）、制御部２１は、付帯施設に案内を指示して（ステップＳ３６）、送信処理を終了する。
付帯施設とは、例えば駐車場の発券機である。制御部２１は、ＤＳＲＣ通信で車載器に送信できなかったテキスト情報や音声情報を発券機に付属の表示器やスピーカに表示又は発話させる。
【００６８】
音声情報の発話が可能な車載器である場合（ステップＳ３５；Ｙ）、制御部２１は、発話用の音声情報（ＴＴＳ）を車載器に送信する（ステップＳ３７）。そして、制御部２１は、ステップＳ３９に移行する。
【００６９】
ステップＳ３４に戻り、テキスト情報の表示が可能な車載器である場合（ステップＳ３４；Ｙ）、制御部２１は、表示用のテキスト情報及び発話用の音声情報を送信する（ステップＳ３８）。
【００７０】
制御部２１は、テキスト情報又は音声情報を受信してから予め定められた特定時間が経過したか否か判断する（ステップＳ３９）。
特定時間が経過していない場合（ステップＳ３９；Ｎ）、制御部２１は、特定時間が経過するまで待機する。
特定時間が経過した場合（ステップＳ３９；Ｙ）、制御部２１は、指示応答コマンドを車載器に送信する（ステップＳ４０）。
【００７１】
ここで、図６を参照して、テキスト情報、音声情報及び指示応答コマンドの送信順序について説明する。図６に示すフロー図は、図５のステップＳ３８、Ｓ４０について詳細に説明するフロー図である。
【００７２】
パターン１〜パターン３のフローは、テキスト情報、音声情報及び指示応答コマンドの送信順序が互いに異なるフローである。
パターン１〜パターン３の何れにおいても、制御部２１は、テキスト情報を送信した後に指示応答コマンドを送信する。テキスト情報の後に指示応答コマンドを送信することで、車載器側ではテキスト情報を先に表示画面上に表示させておき、その後に指示応答コマンドによる二者択一の文字を表示することができる。具体的には、「ＩＣクレジット決済の場合は「はい」、現金での決済の場合は「いいえ」を押して下さい。」とのテキスト情報を先に車載器の表示画面上に表示させておき、その後に指示応答コマンドによる「はい」／「いいえ」との二者択一の文字を表示画面上に表示させることができる。
なお、音声情報の送信順序については、テキスト情報及び指示応答コマンドよりも先であっても後であってもよい。車載器側では、テキスト情報及び指示応答コマンドによる二者択一の文字を表示画面上に表示させるとともに音声情報を発話することが可能であるためである。
【００７３】
図５に戻り、制御部２１は、指示応答コマンドを送信してから予め定められた特定時間が経過したか否か判断する（ステップＳ４１）。
特定時間が経過していない場合（ステップＳ４１；Ｎ）、制御部２１は、経過するまで待機する。
特定時間が経過した場合（ステップＳ４１；Ｙ）、制御部２１は、車載器からの応答があるか否か判断する（ステップＳ４２）。
【００７４】
車載器からの応答がない場合（ステップＳ４２；Ｎ）、制御部２１は、意思確認ボタン（例えば図１のボタン４ａ）の押下を催促する旨の情報を車載器に送信する（ステップＳ４３）。このとき送信する情報は、テキスト情報であっても音声情報であってもよい。
車載器からの応答があった場合（ステップＳ４２；Ｙ）、制御部２１は、応答に応じた処理を開始することで（ステップＳ４４）、送信処理を終了する。
【００７５】
以上のように、本発明によれば、路側無線装置２０は、テキスト情報、音声情報及び指示応答コマンドを車載器に送信する場合、テキスト情報を送信した後に指示応答コマンドを送信することができる。テキスト情報を先に車載器の表示画面上に表示させておき、その後指示応答コマンドによる二者択一の情報を表示画面上に表示させることができるため、ユーザは混乱することなくスムーズに応答することができる。
【図面の簡単な説明】
【００７６】
【図１】車載器の構成を示す図である。
【図２】指示応答コマンドと音声情報の受信処理を説明するフロー図である。
【図３】指示応答コマンドとテキスト情報の受信処理を説明するフロー図である。
【図４】路側無線装置の内部構成を示す図である。
【図５】指示応答コマンド、音声情報及びテキスト情報の送信処理を説明するフロー図である。
【図６】送信順序を説明するフロー図である。
【図７】車載器の外観を示す図である。
【符号の説明】
【００７７】
１０  車載器
１    カーナビ部
２    ＤＳＲＣ部
３    制御部
４    インターフェイス
４ａ  ボタン
２０  路側無線装置
２１  制御部
【図１】
2010134886.tif 000003
【図２】
2010134886.tif 000004
【図３】
2010134886.tif 000005
【図４】
2010134886.tif 000006
【図５】
2010134886.tif 000007
【図６】
2010134886.tif 000008
【図７】
2010134886.tif 000009